(57)【要約】【課題】従来の自動車用カバーは、防塵機能しか持ち合わせていなかったので、本発明は防塵機能だけでなく、盗難防止という自動車カバー及び自動車の防犯的機能をも合わせ有する自動車用カバーを提供することを課題とする。【解決手段】車体形状に形成されたカバー１の前部と後部に、車体の下側に掛け渡されるベルト２、３を備え、前記各ベルト２、３の一端は前記カバー１の一側端に固定され、前記各ベルト２、３の他端は、前記カバー１のベルト固定側とは反対側の側部に着脱可能にすると共に、施錠可能にしたことを特徴とする。【選択図】        図１
2005007974.tif 000002
【特許請求の範囲】
【請求項１】
車体形状に形成されたカバーの前部と後部に、車体の下側に掛け渡されるベルトを備え、前記各ベルトの一端は前記カバーの一側端に固定され、前記各ベルトの他端は、前記カバーのベルト固定側とは反対側の側部に着脱可能にすると共に、施錠可能にしたことを特徴とする自動車用カバー。
【請求項２】
前記カバーにおける前記ベルト端部の固定側及び／又は着脱側にベルト収納袋を設けた請求項１に記載の自動車用カバー。
【請求項３】
前記ベルト収納袋は、面テープを介して開閉可能にした蓋を有する請求項２に記載の自動車用カバー。
【請求項４】
前記カバーの内面の全面に又は部分的に、保護シートを定着した請求項１乃至３のいずれかに記載の自動車用カバー。
【発明の詳細な説明】
【０００１】
【発明の属する技術分野】
本発明は自動車用カバー、より詳細には、駐車保管中に自動車に被せることにより、自動車がホコリに塗れたり傷付いたりすることを防止し、また、盗難を防止し得る自動車用カバーに関するものである。
【０００２】
【従来の技術】
一般に自動車用カバーは、車の側面から上面に対応する形状の耐水資材製カバーであり、不使用時には畳んでトランク等に収納される。
【０００３】
その車体への被装に際しては、端部を前側又は後側バンパー等に引掛け、他の部分を車の屋根に投げ上げ、他端部を持ちながら車の側面に沿って移動することにより、カバーを車の上面に拡げ、前記他端部を引張って他側側のバンパーに引掛ける。カバーを取り除くときは、上記と逆のことを行なう。
【０００４】
一般に自動車カバーは防塵を目的として利用されるが、従来の自動車用カバーはそれ以上の機能を持ち合わせていない。
【０００５】
【発明が解決しようとする課題】
上述したように従来の自動車用カバーは、防塵機能しか持ち合わせていなかったので、本発明は防塵機能だけでなく、盗難防止という自動車カバー及び自動車の防犯的機能をも合わせ有する自動車用カバーを提供することを課題とする。
【０００６】
【課題を解決するための手段】
上記課題を解決するための本発明に係る自動車用カバーは、車体形状に形成されたカバーの前部と後部に、車体の下側に掛け渡されるベルトを備え、前記各ベルトの一端は前記カバーの一側端に固定され、前記各ベルトの他端は、前記カバーのベルト固定側とは反対側の側部に着脱可能にすると共に、施錠可能にしたことを特徴とする。
【０００７】
好ましくは、前記カバーにおける前記ベルト端部の固定側及び／又は着脱側にベルト収納袋を設け、また、前記ベルト収納袋は、面テープを介して開閉可能にした蓋を有するものとする。更に、前記カバーの内面の全面に又は部分的に、保護シートを定着することもある。
【０００８】
【発明の実施の形態】
本発明の実施の形態を添付図面に依拠して説明する。図１は、本発明に係る自動車用カバー１を車に被装した状態を側方から示したものであり、図２はそれを底面側から示したものである。
【０００９】
カバー１は、その前部と後部に、車体の下側に掛け渡されるベルト２、３を備える。各ベルト２、３の一端は、カバー１の一側部に固定され、その他端は、カバー１の前記ベルト固定側と反対側の側部に脱着可能且つ施錠可能にされる。
【００１０】
ベルト２、３は、車体４の下を通して反対側に出し、先端部に設けた施錠手段５を、カバー１の側端に設けた施錠手段５に対応する施錠手段６にてロックさせる。かくして施錠手段５、６を解錠しない限り、ベルト２、３を外すことができなくなり、カバー１を盗取することを防止し得るだけでなく、車自体の盗取も防止し得ることとなる。
【００１１】
好ましくは、カバー１のベルト固定側端縁及び／又はベルト着脱側端縁に、ベルト収納袋７、８を設ける。このベルト収納袋７、８は、不使用時にカバー１を畳んでおく際に、ベルト２、３のまとまりをよくするためにベルト２、３を収納しておくためのものである（図４参照）。
【００１２】
通例、汎用性を持たせるために、ベルト２、３は長めに設定される。従って、ベルト２、３は施錠時に緊張状態にならない。そこで、施錠時にベルト２、３を緊張させ、風等によってカバー１がばたつかないようにするために、ベルト２、３の余分な分をベルト収納袋７、８内に収め得るようにすることができる。
【００１３】
即ち、ベルト収納袋７、８に蓋９を設け、蓋９の内側に、面ファスナー１０、１１を配置した構成とする。その場合、ベルト２、３の弛んだ分を引張ってベルト収納袋７、８内に収め、蓋９をすると、ベルト２、３は面ファスナー１０、１１間に挟まれて押さえ止められる。かくして、ベルト２、３の緊張状態が維持される（図５参照）。
【００１４】
図６乃至図８は、カバー１の構成例を示すもので、それは、カバー１の内面の全面に亘り又は部分的に保護シート１３を定着するものである。図示した例においては、保護シート１３は、フロントウインドー等のガラスに当接する部分以外の部分に定着してある。保護シート１３は、カバー１を車体４に被覆する際及び外す際に、カバー１が車体４に擦れて、擦り傷を発生することを防止するためのもので、通例、不織布等の繊維製とされる。
【００１５】
【発明の効果】
本発明は上述したとおりであって、防塵機能だけでなく、盗難防止という自動車カバー及び自動車の防犯的機能をも合わせ有する自動車用カバーを提供し得る効果がある。
請求項４に記載の発明においては、カバーの装脱に際し、車体を傷付けにくいという効果がある。
【図面の簡単な説明】
【図１】本発明に係る自動車カバーの使用状態を示す側面図である。
【図２】本発明に係る自動車カバーの使用状態を示す底面図である。
【図３】本発明に係る自動車カバーのベルト端着脱側の構成を示す図である。
【図４】本発明に係る自動車カバーのベルト端固定側の構成を示す図である。
【図５】本発明に係る自動車カバーのヘッド端固定側の構成を示す図である。
【図６】本発明に係る自動車カバーの構成例を示す側面図である。
【図７】本発明に係る自動車カバーの構成例を示す底面図である。
【図８】図７におけるＡ−Ａ線断面図である。
【符号の説明】
１    カバー
２    ベルト
３    ベルト
４    車体
５    施錠手段
６    施錠手段
７    ベルト収納袋
８    ベルト収納袋
９    蓋
１０    面ファスナー
１１    面ファスナー
１３    保護シート
【図１】
2005007974.tif 000003
【図２】
2005007974.tif 000004
【図３】
2005007974.tif 000005
【図４】
2005007974.tif 000006
【図５】
2005007974.tif 000007
【図６】
2005007974.tif 000008
【図７】
2005007974.tif 000009
【図８】
2005007974.tif 000010